(57)【特許請求の範囲】
【請求項１】
手前側から押し操作される点消火ボタンを備え、その点消火ボタンの側方に、点消火ボタンの押し込み位置を検知するマイクロスイッチと、ガス制御装置の側面にこのマイクロスイッチに接続されるハーネスを保持するハーネス保持部とを有するガス制御装置において、上記ハーネス保持部は、前後方向に貫通する縦方向に長手のハーネス収納部を有し、このハーネス収納部にハーネスを出し入れする開口部をハーネス収納部の上端から所定距離下がった位置であって、縦方向に伸びるハーネス収納部の内側面からガス制御装置に向かうように設けることにより、この開口部とハーネス収納部の上端との間に懐部を形成し、ハーネス収納部内のハーネスがハーネス収納部の下端側から上端側に向かって移動した場合に、ハーネスは上記開口部を素通りして懐部内に入るように構成し、さらに、ハーネス収納部とガス制御装置との間に位置し、上記開口部と連通し、かつ、上方に向かって開口するハーネス出入り口を形成したことを特徴とするガス制御装置。
【請求項２】
上記開口部とハーネス出入り口との連通部分を傾斜させたことを特徴とする請求項１に記載のガス制御装置。
【発明の詳細な説明】
【技術分野】
【０００１】
本発明は、点消火ボタンの押し込み位置を検知するためのマイクロスイッチを備えたガス制御装置に関する。
【背景技術】
【０００２】
この種のガス制御装置では、マイクロスイッチの端子にハーネスを接続し、そのハーネスの他端を制御装置に接続することにより、制御装置側でマイクロスイッチのオンオフ信号から点消火ボタンの押し込み位置を検知している。
【０００３】
ガス制御装置はガスコンロ装置等のガス器具内に組み込まれるが、ガス器具に組み込む前にマイクロスイッチにハーネスを接続し、その状態でガス器具内にガス制御装置を組み付けている。そのため、ガス制御装置を組み付ける作業中にハーネスを引っかけてマイクロスイッチの端子が変形し、あるいはハーネスがマイクロスイッチから外れないように、ハーネスを保持するハーネス保持部がガス制御装置に形成されている（例えば、特許文献１参照）。
【０００４】
このものでは、ハーネス保持部は上方に開口しており、複数本のハーネスを弾性を有した１個の結束部材で結束し、その結束部材をハーネス保持部に上方から嵌め込むことによってハーネスをハーネス保持部に保持させている。
【先行技術文献】
【特許文献】
【０００５】
【特許文献１】特開２０１４−１６１１４号公報（段落［００３１］、図５）
【発明の概要】
【発明が解決しようとする課題】
【０００６】
上記従来のものでは、複数本のハーネスを結束部材で結束しなければならないので、ハーネスの単価が高くなるという不具合が生じる。なお、結束部材で結束することなく、各ハーネスがバラバラの状態でハーネス保持部に保持させたのでは、ハーネス保持部が上方に開口しているので、取り回し作業中にハーネスがハーネス保持部から容易に脱落するおそれがある。
【０００７】
そこで本発明は、上記の問題点に鑑み、結束部材を用いなくてもハーネスを確実に保持し続けることのできるハーネス保持部を備えたガス制御装置を提供することを課題とする。
【課題を解決するための手段】
【０００８】
上記課題を解決するために本発明によるガス制御装置は、手前側から押し操作される点消火ボタンを備え、その点消火ボタンの側方に、点消火ボタンの押し込み位置を検知するマイクロスイッチと、ガス制御装置の側面にこのマイクロスイッチに接続されるハーネスを保持するハーネス保持部とを有するガス制御装置において、上記ハーネス保持部は、前後方向に貫通する縦方向に長手のハーネス収納部を有し、このハーネス収納部にハーネスを出し入れする開口部をハーネス収納部の上端から所定距離下がった位置であって、縦方向に伸びるハーネス収納部の内側面からガス制御装置に向かうように設けることにより、この開口部とハーネス収納部の上端との間に懐部を形成し、ハーネス収納部内のハーネスがハーネス収納部の下端側から上端側に向かって移動した場合に、ハーネスは上記開口部を素通りして懐部内に入るように構成し、さらに、ハーネス収納部とガス制御装置との間に位置し、上記開口部と連通し、かつ、上方に向かって開口するハーネス出入り口を形成したことを特徴とする。
【０００９】
上記開口部は、通常ハーネスが引っ張られる方向である、ガス制御装置から離れる方向には開口しておらず、ガス制御装置に向かう方向に開口しているので、ハーネスがハーネス収納部から出にくい。また、ハーネスが上方に引っ張られた場合には、ハーネスが懐部に移動するだけであるので、やはりハーネスがハーネス保持部から出にくい。
【００１０】
なお、上記開口部とハーネス出入り口との連通部分を傾斜させておけば、ハーネスをハーネス出入り口からハーネス収納部へと移動させる作業が容易になる。
【発明の効果】
【００１１】
以上の説明から明らかなように、本発明は、複数本のハーネスを結束部材で結束しなくてもハーネスが脱落することのないハーネス保持部を備えたガス制御装置を提供することができる。
【図面の簡単な説明】
【００１２】
【図１】ハーネス保持部の形状を示す斜視図
【図２】ハーネス保持部の正面図
【図３】ハーネス保持部周辺の側面図
【発明を実施するための形態】
【００１３】
図１を参照して、１は本発明によるガス制御装置である。このガス制御装置１の前面下部には押し操作により下流のガスバーナ（図示せず）へのガスの供給を開始し、あるいは停止させ、さらにスパーカを作動させる点消火ボタン２が設けられている。また、ガスバーナへのガスの供給量を増減してガスバーナの火力を調節する火力調節つまみ１１が設けられている。
【００１４】
点消火ボタン２は前後方向に移動する必要があるので、ガイド部材４によって前後方向にガイドされている。また、ガイド部材４の側面には点消火ボタン２の押し込み位置を検知するためのマイクロスイッチ３が取り付けられている。従来はこのマイクロスイッチ３はガイド部材４に対してネジにより固定されていたが、本実施の形態では、１対のボス４１によって位置決めをし、かつ係合爪４２によってガイド部材４の側面に押接させることによってマイクロスイッチ３を取り付けている。そして、このマイクロスイッチ３に接続されるハーネスを保持するためのハーネス保持部５をガイド部材４に一体に設けた。
【００１５】
図２を参照して、このハーネス保持部５には上下方向に長手のハーネス収納部５１が設けられている。このハーネス収納部５１にハーネスを出し入れする開口部５２をハーネス収納部５１の上端から所定距離下がった位置であってガス制御装置１に向かうように設けた。このように開口部５２を設けることによって、ハーネス収納部５１の上部に懐部５３が形成される。さらに、ハーネス収納部５１とガス制御装置１との間に位置し、上記開口部５２と連通し、かつ、上方に向かって開口するハーネス出入り口５４を形成した。そして、開口部５２とハーネス出入り口５４との連通部分５５を傾斜させた。
【００１６】
このようにハーネス保持部５を形成することによって、ハーネスを保持させる際にはハーネス出入り口５４から下方向にハーネスを移動させる。すると、ハーネスは連通部分５５にガイドされて開口部５２に到達し、その開口部５２からハーネス収納部５１内へと移動する。
【００１７】
一旦ハーネスがハーネス収納部５１に入ると、ハーネスが外側に引っ張られてもハーネスはハーネス収納部５１から出ることはない。また、ハーネスが上方に引っ張り上げられても、懐部５３に移動するだけであるので、開口部５２からハーネスが出ることはない。
【００１８】
従って、図３に示すように、マイクロスイッチ３の端子にコネクタ６を装着し、コネクタ６から延びるハーネス６１をハーネス保持部５に保持させると、ハーネス６１が引っ張られたとしてもコネクタ６が図３において紙面直角方向手前側に引かれることがないので、特にマイクロスイッチ３をボス４１と係合爪４２とで保持していても、マイクロスイッチ３がガイド部材４から外れることがない。
【００１９】
なお、本発明は上記した形態に限定されるものではなく、本発明の要旨を逸脱しない範囲内において種々の変更を加えてもかまわない。
【符号の説明】
【００２０】
１ ガス制御装置
２ 点消火ボタン
３ マイクロスイッチ
４ ガイド部材
５ ハーネス保持部
６ コネクタ
５１ ハーネス収納部
５２ 開口部
５３ 懐部
５４ ハーネス出入り口
５５ 連通部分
６１ ハーネス
【図１】
0006015968.tif 000002
【図２】
0006015968.tif 000003
【図３】
0006015968.tif 000004